(57)【要約】      （修正有）【課題】デジタルカメラと携帯電話の無線ＬＡＮ通信を簡単に行う方法を提供する。【解決手段】無線ＬＡＮによる通信を開始するために近接無線通信インターフェース経由でデジタルカメラの情報を携帯電話に送る際に、無線通信のための情報に加えて、ユーザによりデジタルカメラに設定可能な固有の情報を送る。携帯電話では、デジタルカメラとの無線接続の開始処理を行う間は、携帯電話の表示画面に、デジタルカメラから送られてきた固有の情報を常に表示し、かつ、無線接続の開始処理をキャンセル手段も合わせて表示する。【選択図】図５
2016054426.tif 000002
【特許請求の範囲】
【請求項１】
第一の通信装置と第二の通信装置があって、
第一の通信装置と第二の通信装置は、それぞれ第一の通信手段と第二の通信手段により互いに通信が可能で、第一の通信装置の第二の通信手段が参加するネットワークの情報を第一の通信手段により第二の通信装置の送信し、第二の通信装置は、第一の通信手段により受けとった前記ネットワークの情報を元に第二通信手段により前記ネットワークに参加し、第一の通信装置と通信するシステムにおいて、
第一の通信装置では、ユーザにより任意に変更可能な固有情報があり、第一の通信手段により第二の通信装置に前記ネットワーク情報を送る際に、前記固有情報も合わせて送信し、第二の通信装置では、第一の通信手段により前記ネットワーク情報とともに固有情報受信すると前記ネットワーク情報を元に第二の通信手段によりネットワークへの接続開始処理を開始するとともに、前記第二の通信装置が備えている表示手段に前記固有情報を表示することを特徴とする通信システム。
【請求項２】
前記固有情報を表示するとともに、第二の通信装置の第二の通信手段により行われているネットワークへの接続開始処理を中止する手段を備えることを特徴とする請求項１に記載の通信システム。
【請求項３】
第一の通信手段は、近距離無線通信であることを特徴とする請求項１に記載の通信システム。
【請求項４】
第一の通信装置に前記固有情報が入力されていない場合には、第一の通信手段により通信を行う前に、固有情報の入力を促すことを特徴とする請求項１に記載の通信システム。
【請求項５】
固有情報とは、ユーザが任意に設定できるニックネームの情報であることを特徴とする請求項４に記載の通信システム。
【発明の詳細な説明】
【技術分野】
【０００１】
本発明は、通信装置がネットワークを介して他の機器と通信する技術に関する。
【背景技術】
【０００２】
近年、デジタルカメラなどの撮像装置に簡易的なアクセスポイント機能を搭載したものが知られている。デジタルカメラが簡易的なアクセスポイント機能を起動すると、携帯電話をはじめとする他の装置がデジタルカメラを無線ネットワークのアクセスポイントとして検知し、デジタルカメラが形成したネットワークに他の装置が参加することで、デジタルカメラと他の装置を無線通信させることができる。これを実現するためには、デジタルカメラと、無線通信させたい他の装置との、二つの装置に対して設定が必要で、そのためには、それぞれの装置を操作する必要がある。装置の操作に慣れていないユーザにとっては、この設定が複雑であるため、手軽にわかりやすくし、ユーザの使い勝手を考慮する技術が知られている。
【０００３】
特許文献１では、複数の通信手段をもつ装置が、第一の通信手段で通信相手の装置のＩＤを特定して、第二の通信手段を制御する構成をもつことで、通信相手の特定を簡単に行い、通信を開始するまでの複雑なユーザ操作を不要にしている。
【先行技術文献】
【特許文献】
【０００４】
【特許文献１】特開２００７−２６７３７０号公報
【発明の概要】
【発明が解決しようとする課題】
【０００５】
デジタルカメラと携帯電話の無線通信を簡単に行うには、携帯電話とデジタルカメラの、ＮＦＣ（Ｎｅａｒ  Ｆｉｅｌｄ  Ｃｏｍｍｕｎｉｃａｔｉｏｎ）などの近接無線通信インターフェース同士を近接させて無線通信に必要な情報を互いにやりとりし、自動で無線接続処理を行う方法がある。
【０００６】
しかし、近接無線通信インターフェース同士を接触させるだけという簡単な操作のみのため、間違いも起きやすい。たとえば、自分のデジタルカメラと間違えて他人のデジタルカメラを自分の携帯電話と接触させたとしても、間違いに気付くのは接続が完了した後であり、他人のデジタルカメラの中身を見でしまう、デジタルカメラの所有者からみたら他人に画像を見られてしまうという問題があった。
【課題を解決するための手段】
【０００７】
上記課題を解決するために、本発明の通信システムは、無線通信を開始するために近接無線通信インターフェース経由でデジタルカメラの情報を携帯電話に送る際に、無線通信のための情報に加えて、ユーザによりデジタルカメラに設定可能な固有の情報を送り、携帯電話では、デジタルカメラとの無線接続の開始処理を行う間は、携帯電話の表示画面に、上記デジタルカメラから送られてきた固有の情報を常に表示し、かつ、無線接続の開始処理をキャンセル手段も合わせて表示することを特徴とする。
【発明の効果】
【０００８】
本発明の通信システムによれば、近接無線通信インターフェースを利用した装置間の簡単な無線接続方法においても、無線接続が開始される前に、装置の間違いを気付かせることができるようになる。
【図面の簡単な説明】
【０００９】
【図１】本発明の実施形態におけるデジタルカメラの構成を示すブロック図である。
【図２】本発明の実施形態における携帯電話の構成を示すブロック図である。
【図３】本発明の実施形態における携帯電話の動作を示すフローチャートである。
【図４】本発明の実施形態におけるデジタルカメラの動作を示すフローチャートである。
【図５】本発明の実施形態における携帯電話の表示画面の一例である。
【発明を実施するための形態】
【００１０】
以下に、本発明を実施するための形態について、添付の図面を用いて詳細に説明する。なお、以下に説明する実施の形態は、本発明の実現手段としての一例であり、本発明が適用される装置の構成や各種条件によって適宜修正又は変更されてもよい。また、各実施の形態を適宜組み合せることも可能である。
【００１１】
＜デジタルカメラの構成＞
図１（ａ）は、本実施形態の通信装置の一例であるデジタルカメラ１００の構成例を示すブロック図である。なお、ここでは通信装置の一例としてデジタルカメラについて述べるが、通信装置はこれに限られない。例えば通信装置は携帯型のメディアプレーヤや、いわゆるタブレットデバイス、パーソナルコンピュータなどの情報処理装置であってもよい。
【００１２】
制御部１０１は、入力された信号や、後述のプログラムに従ってデジタルカメラ１００の各部を制御する。なお、制御部１０１が装置全体を制御する代わりに、複数のハードウェアが処理を分担することで、装置全体を制御してもよい。
【００１３】
撮像部１０２は、例えば、光学レンズユニットと絞り・ズーム・フォーカスなど制御する光学系と、光学レンズユニットを経て導入された光（映像）を電気的な映像信号に変換するための撮像素子などで構成される。撮像素子としては、一般的には、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）や、ＣＣＤ（Ｃｈａｒｇｅ  Ｃｏｕｐｌｅｄ  Ｄｅｖｉｃｅ）が利用される。撮像部１０２は、制御部１０１に制御されることにより、撮像部１０２に含まれるレンズで結像された被写体光を、撮像素子により電気信号に変換し、ノイズ低減処理などを行いデジタルデータを画像データとして出力する。本実施形態のデジタルカメラ１００では、画像データは、ＤＣＦ（Ｄｅｓｉｇｎ  Ｒｕｌｅ  ｆｏｒ  Ｃａｍｅｒａ  Ｆｉｌｅ  ｓｙｓｔｅｍ）の規格に従って、記録媒体１１０に記録される。
【００１４】
不揮発性メモリ１０３は、電気的に消去・記録可能な不揮発性のメモリであり、制御部１０１で実行される後述のプログラム等が格納される。
【００１５】
作業用メモリ１０４は、撮像部１０２で撮像された画像データを一時的に保持するバッファメモリや、表示部１０６の画像表示用メモリ、制御部１０１の作業領域等として使用される。
【００１６】
操作部１０５は、ユーザがデジタルカメラ１００に対する指示をユーザから受け付けるために用いられる。操作部１０５は例えば、ユーザがデジタルカメラ１００の電源のＯＮ／ＯＦＦを指示するための電源ボタンや、撮影を指示するためのレリーズスイッチ、画像データの再生を指示するための再生ボタンを含む。さらに、後述の接続部１１１を介して外部機器との通信を開始するための専用の接続ボタンなどの操作部材を含む。また、後述する表示部１０６に形成されるタッチパネルも操作部１０５に含まれる。
【００１７】
なお、レリーズスイッチは、ＳＷ１およびＳＷ２を有する。レリーズスイッチが、いわゆる半押し状態となることにより、ＳＷ１がＯＮとなる。これにより、ＡＦ（オートフォーカス）処理、ＡＥ（自動露出）処理、ＡＷＢ（オートホワイトバランス）処理、ＥＦ（フラッシュプリ発光）処理等の撮影準備を行うための指示を受け付ける。また、レリーズスイッチが、いわゆる全押し状態となることにより、ＳＷ２がＯＮとなる。これにより、撮影を行うための指示を受け付ける。
【００１８】
表示部１０６は、撮影の際のビューファインダー画像の表示、撮影した画像データの表示、対話的な操作のための文字表示などを行う。なお、表示部１０６は必ずしもデジタルカメラ１００が内蔵する必要はない。デジタルカメラ１００は内部又は外部の表示部１０６と接続することができ、表示部１０６の表示を制御する表示制御機能を少なくとも有していればよい。
【００１９】
記録媒体１１０は、撮像部１０２から出力された画像データを記録することができる。記録媒体１１０は、デジタルカメラ１００に着脱可能なよう構成してもよいし、デジタルカメラ１００に内蔵されていてもよい。すなわち、デジタルカメラ１００は少なくとも記録媒体１１０にアクセスする手段を有していればよい。
【００２０】
接続部１１１は、外部装置と接続するためのインターフェースである。本実施形態のデジタルカメラ１００は、接続部１１１を介して、外部装置とデータのやりとりを行うことができる。例えば、撮像部１０２で生成した画像データを、接続部１１１を介して外部装置に送信することができる。なお、本実施形態では、接続部１１１は外部装置とＩＥＥＥ８０２．１１の規格に従った、いわゆる無線ＬＡＮで通信するためのインターフェースを含む。制御部１０１は、接続部１１１を制御することで外部装置との無線通信を実現する。なお、通信方式は無線ＬＡＮに限定されるものではなく、例えば赤外通信方式も含む。接続部１１１は第１の無線通信手段の一例である。
【００２１】
近接無線通信部１１２は、例えば無線通信のためのアンテナと無線信号を処理するため変復調回路や通信コントローラから構成される。近接無線通信部１１２は、変調した無線信号をアンテナから出力し、またアンテナで受信した無線信号を復調することでＩＳＯ／ＩＥＣ  １８０９２の規格（いわゆる  ＮＦＣ：Ｎｅａｒ  Ｆｉｅｌｄ  Ｃｏｍｍｕｎｉｃａｔｉｏｎ）に従った非接触近接通信を実現する。本実施形態の近接無線通信部１１２は、デジタルカメラ１００の側部に配される。
【００２２】
後述する携帯電話２００とは、互いの近接無線通信部を近接させることにより通信を開始して接続される。なお、近接無線通信部を用いて接続させる場合、必ずしも近接無線通信部同士を接触させる必要はない。近接無線通信部は一定の距離だけ離れていても通信することができるため、互いの機器を接続するためには、近接無線通信可能な範囲まで近づければよい。以下の説明では、この近接無線通信可能な範囲まで近づけることを、近接させる、とも記載する。
【００２３】
また、互いの近接無線通信部が近接無線通信不可能な範囲にあれば、通信は開始されない。また、互いの近接無線通信部が近接無線通信可能な範囲にあって、デジタルカメラ１００同士が通信接続されている際に、互いの近接無線通信部１１２が近接無線通信不可能な範囲に離れてしまった場合は、通信接続が解除される。なお、近接無線通信部１１２が実現する非接触近接無線通信はＮＦＣに限られるものではなく、他の無線通信を採用してもよい。例えば、近接無線通信部１１２が実現する非接触近接通信として、ＩＳＯ／ＩＥＣ  １４４４３の規格に従った非接触近接通信を採用してもよい。
【００２４】
本実施形態では、接続部１１１により実現される通信の通信速度は、後述の近接無線通信部１１２により実現される通信の通信速度よりも速い。また、接続部１１１により実現される通信は、近接無線通信部１１２による通信よりも、通信可能な範囲が広い。その代わり、近接無線通信部１１２による通信では、通信可能な範囲の狭さにより通信相手を限定することができるため、接続部１１１により実現される通信で必要な暗号鍵の交換等の処理を必要としない。すなわち、接続部１１１を用いるよりも手軽に通信することができる。
【００２５】
なお、本実施形態におけるデジタルカメラ１００の接続部１１１は、インフラストラクチャモードにおけるアクセスポイントとして動作するＡＰモードと、インフラストラクチャモードにおけるクライアントとして動作するＣＬモードとを有している。デジタルカメラ１００がＣＬ機器として動作する場合、周辺のＡＰ機器に接続することで、ＡＰ機器が形成するネットワークに参加することが可能である。また、接続部１１１をＡＰモードで動作させることにより、本実施形態におけるデジタルカメラ１００は、ＡＰの一種ではあるが、より機能が限定された簡易的なＡＰ（以下、簡易ＡＰ）として動作することも可能である。デジタルカメラ１００が簡易ＡＰとして動作すると、デジタルカメラ１００は自身でネットワークを形成する。デジタルカメラ１００の周辺の装置は、デジタルカメラ１００をＡＰ機器と認識し、デジタルカメラ１００が形成したネットワークに参加することが可能となる。上記のようにデジタルカメラ１００を動作させるためのプログラムは不揮発性メモリ１０３に保持されているものとする。
【００２６】
なお、本実施形態におけるデジタルカメラ１００はＡＰの一種であるものの、ＣＬ機器から受信したデータをインターネットプロバイダなどに転送するゲートウェイ機能は有していない簡易ＡＰである。したがって、自機が形成したネットワークに参加している他の装置からデータを受信しても、それをインターネットなどのネットワークに転送することはできない。
【００２７】
次に、デジタルカメラ１００の外観について説明する。図２（ｂ）、図２（ｃ）はデジタルカメラ１００の外観の一例を示す図である。レリーズスイッチ１０５ａや再生ボタン１０５ｂ、方向キー１０５ｃ、タッチパネル１０５ｄは、前述の操作部１０５に含まれる操作部材である。また、表示部１０６には、撮像部１０２による撮像の結果得られた画像が表示される。また、本実施形態のデジタルカメラ１００は、カメラ筺体の側面に近接無線通信部１１２のアンテナ部分を有する。この近接無線通信部１１２同士を一定の距離に近づけることにより、他の機器と近接無線通信を確立することができる。これにより、ケーブル等を介さずに非接触で通信可能であると共に、ユーザの意図に沿って通信相手を限定することができる。
【００２８】
以上がデジタルカメラ１００の説明である。
【００２９】
＜携帯電話２００の内部構成＞
図２は、本実施形態の情報処理装置の一例である携帯電話２００の構成例を示すブロック図である。なお、ここでは情報処理装置の一例として携帯電話について述べるが、情報処理装置はこれに限られない。例えば情報処理装置は、無線機能付きのデジタルカメラ、タブレットデバイス、あるいはパーソナルコンピュータなどであってもよい。
【００３０】
制御部２０１は、入力された信号や、後述のプログラムに従って携帯電話２００の各部を制御する。なお、制御部２０１が装置全体を制御する代わりに、複数のハードウェアが処理を分担することで、装置全体を制御してもよい。
【００３１】
撮像部２０２は、撮像部２０２に含まれるレンズで結像された被写体光を電気信号に変換し、ノイズ低減処理などを行いデジタルデータを画像データとして出力する。撮像した画像データはバッファメモリに蓄えられた後、制御部２０１にて所定の演算を行い、記録媒体２１０に記録される。
【００３２】
不揮発性メモリ２０３は、電気的に消去・記録可能な不揮発性のメモリである。不揮発性メモリ２０３には、制御部２０１が実行する基本的なソフトウェアであるＯＳ（オペレーティングシステム）や、このＯＳと協働して応用的な機能を実現するアプリケーションが記録されている。また、本実施形態では、不揮発性メモリ２０３には、デジタルカメラ１００と通信するためのアプリケーション（以下アプリ）が格納されている。
【００３３】
作業用メモリ２０４は、表示部２０６の画像表示用メモリや、制御部２０１の作業領域等として使用される。
【００３４】
操作部２０５は、携帯電話２００に対する指示をユーザから受け付けるために用いられる。操作部２０５は例えば、ユーザが携帯電話２００の電源のＯＮ／ＯＦＦを指示するための電源ボタンや、表示部２０６に形成されるタッチパネルなどの操作部材を含む。
【００３５】
表示部２０６は、画像データの表示、対話的な操作のための文字表示などを行う。なお、表示部２０６は必ずしも携帯電話２００が備える必要はない。携帯電話２００は表示部２０６と接続することができ、表示部２０６の表示を制御する表示制御機能を少なくとも有していればよい。
【００３６】
記録媒体２１０は、撮像部２０２から出力された画像データを記録することができる。記録媒体２１０は、携帯電話２００に着脱可能なよう構成してもよいし、携帯電話２００に内蔵されていてもよい。すなわち、携帯電話２００は少なくとも記録媒体２１０にアクセスする手段を有していればよい。
【００３７】
接続部２１１は、外部装置と接続するためのインターフェースである。本実施形態の携帯電話２００は、接続部２１１を介して、デジタルカメラ１００とデータのやりとりを行うことができる。本実施形態では、接続部２１１はアンテナであり、制御部１０１は、アンテナを介して、デジタルカメラ１００と接続することができる。
【００３８】
なお、デジタルカメラ１００との接続では、直接接続してもよいしアクセスポイントを介して接続してもよい。データを通信するためのプロトコルとしては、例えば無線ＬＡＮを通じたＰＴＰ／ＩＰ（Ｐｉｃｔｕｒｅ  Ｔｒａｎｓｆｅｒ  Ｐｒｏｔｏｃｏｌ  ｏｖｅｒ  Ｉｎｔｅｒｎｅｔ  Ｐｒｏｔｏｃｏｌ）を用いることができる。なお、デジタルカメラ１００との通信はこれに限られるものではない。例えば、接続部２１１は、赤外線通信モジュール、Ｂｌｕｅｗｔｏｏｔｈ（登録商標）通信モジュール、ＷｉｒｅｌｅｓｓＵＳＢ等の無線通信モジュールを含むことができる。さらには、ＵＳＢケーブルやＨＤＭＩ（登録商標），ＩＥＥＥ１３９４など、有線接続を採用してもよい。
【００３９】
近距離無線通信部２１２は、他機との非接触近距離通信を実現するための通信ユニットである。近距離無線通信部２１２は、無線通信のためのアンテナと無線信号を処理するための変復調回路や通信コントローラから構成される。近距離無線通信部２１２は、変調した無線信号をアンテナから出力し、またアンテナで受信した無線信号を復調することにより非接触近距離通信を実現する。ここでは、ＩＳＯ／ＩＥＣ  １８０９２の規格（いわゆるＮＦＣ）に従った非接触通信を実現する。近距離線通信部２１２は、他のデバイスからデータ読み出し要求を受けると、不揮発性メモリ２０３に格納されているデータに基づき、応答データを出力する。本実施形態では、携帯電話２００は、近距離線通信部２１２を通じて、ＮＦＣの規格で定義されているカードリーダモード、カードライタモードおよびＰ２Ｐモードで動作し、主にＩｎｉｔｉａｔｏｒとしてふるまう。対して、デジタルカメラ１００は近距離無線通信部１１２を介して、主にＴａｒｇｅｔとしてふるまう。
【００４０】
公衆網接続部２１３は、公衆無線通信を行う際に用いられるインターフェースである。携帯電話２００は、公衆網接続部２１３を介して、他の機器と通話することができる。この際、制御部２０１はマイク２１４およびスピーカ２１５を介して音声信号の入力と出力を行うことで、通話を実現する。本実施形態では、公衆網接続部２１３はアンテナであり、制御部１０１は、アンテナを介して、公衆網に接続することができる。なお、接続部２１１および公衆網接続部２１３は、一つのアンテナで兼用することも可能である。
【００４１】
以上が携帯電話２００の説明である。
【００４２】
＜携帯電話とデジタルカメラの無線ＬＡＮによる通信確立までの流れ＞
続いて携帯電話とデジタルカメラの無線ＬＡＮによる通信確立までの流れについて説明する。図３は、携帯電話２００がデジタルカメラ１００との無線ＬＡＮによる通信を確立するまでのフローチャートである。
【００４３】
携帯電話２００は、ステップＳ４００において、制御部２０１が、近接無線通信部２１２でデジタルカメラ１００とＮＦＣタッチしたか（近接無線通信部同市が近接したか）どうかを判断し、タッチした場合は、ステップＳ４０１で、携帯電話は近接無線通信部２１２で、接触したデジタルカメラ１００からカメラの識別情報、カメラの簡易ＡＰ機能が構築する無線ＬＡＮネットワークの情報を受信する。本実施例では、カメラの識別情報として、カメラに設定されておりユーザにより変更可能なニックネームなどのユーザ設定情報とカメラのＵＵＩＤを使用する。なお、この他に、無線接続するためのネットワーク情報、カメラに搭載されているＮＦＣチップの固有情報などを使用しても良い。
【００４４】
ステップＳ４０２では、携帯電話２００は近接無線通信部２１２を用いて、携帯電話の識別情報をデジタルカメラ１００へ送信する。
【００４５】
ステップＳ４０３では、受信したカメラの識別情報のうち、ユーザ設定情報を携帯電話２００の表示部２０６に表示する。
【００４６】
ここで、このときの携帯電話２００の表示部２０６での表示例を図５（ａ）に示す。図５（ａ）は、携帯電話２００の表示部２０６を表しており、ＮＦＣタッチされると、それを知らせるＮＦＣ通知画面６００を表示し、そこには、接続処理中であることを知らせるための処理状況６０１、近接無線通信部２１２により取得したユーザ情報６０２と、接続処理を取り消すためのキャンセルボタン６０３を表示する。
【００４７】
図３のフローチャートに説明を戻すと、ステップＳ４０４において、携帯電話２００は接続部２１１を用いて、ステップＳ４０１で受信したネットワーク情報をもとに、デジタルカメラ１００の無線ＬＡＮネットワークへ参加し、デジタルカメラ１００に対して接続要求を行う一連の接続処理を行う。なお、ステップＳ４０４の処理が行われている間、携帯電話２００の表示画面２０６には、図５（ａ）の画面が表示され続けており、キャンセルボタン６０３が指定された場合には、ステップＳ４０４の処理を中止させる。
【００４８】
ステップＳ４０４の接続処理が完了すると、ステップＳ４０５にて、携帯電話２００の表示部２０６の表示を接続処理が完了したことを示す画面に切り替える。図５（ｂ）に、この時の携帯電話２００の表示部２０６の一例を示す。図５（ｂ）では、処理状況６０１の内容が接続完了時のものに切り替わり、また、画面を閉じるためのボタン６０４も表示される。なお、この画面はボタン６０４が指定されなくても、一定時間経過の後、自動的に閉じられるものでもある。
【００４９】
続いて、デジタルカメラ１００が携帯電話２００と無線ＬＡＮによる通信を確立するまでのフローを図４を使用して説明する。ステップＳ５００で、デジタルカメラの制御部１０１は、近接無線通信部１１２で携帯電話２００とＮＦＣタッチしたかどうかを判断し、タッチした場合はステップＳ５０１へ進む。ステップＳ５０１で、デジタルカメラは近接無線通信部１１２で、前途したカメラの識別情報、カメラの簡易ＡＰ機能が構築する無線ＬＡＮネットワーク情報を携帯電話２００へ送信する。なお、ステップＳ５００を開始する時点で、カメラの固有情報のうち、ユーザ設定情報がカメラに設定されていない場合には、表示部１０６にユーザ設定情報であるニックネームを入力させる画面を表示し、ユーザーの入力完了した時点で、再度、タッチするよう促す。
【００５０】
ステップＳ５０２で、近接無線通信部１１２は、携帯電話２００の識別情報を受信する。ステップＳ５０３で、自機の簡易ＡＰ機能で無線ＬＡＮネットワークを作成する。ステップＳ５０４で、携帯電話１００から接続要求を接続部１１１で受信した場合は、デジタルカメラは、ステップＳ５０２で受信した携帯電話の情報と確認がとれたら、ステップＳ５０５へ進む。ステップＳ５０５において、デジタルカメラは、接続部１１１で携帯電話２００と通信を確立する。
【００５１】
以上が、携帯電話２００とデジタルカメラ１００が、無線ＬＡＮネットワークで通信を確立するまでの流れである。
【００５２】
以上、本発明の好ましい実施形態について説明したが、本発明はこれらの実施形態に限定されず、その要旨の範囲内で種々の変形及び変更が可能である。
【００５３】
なお、本発明の目的は、以下の処理を実行することによって達成される。即ち、上述した実施の形態の機能を実現するプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００５４】
この場合、記憶媒体から読み出されたプログラムコード自体が前述した実施の形態の機能を実現することになり、そのプログラムコード及び該プログラムコードを記憶した記憶媒体は本発明を構成することになる。
【００５５】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリーカード、ＲＯＭ等である。または、プログラムコードをネットワークを介してダウンロードしてもよい。
【００５６】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【００５７】
更に、前述した実施の形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【符号の説明】
【００５８】
１００  デジタルカメラ、１０１  制御部、１０２  撮像部、１０３  不揮発メモリ、
１０４  作業用メモリ、１０５  操作部、１０６  表示部、１１１  接続部、
１１２  近接無線通信部
【図１】
2016054426.tif 000003
【図２】
2016054426.tif 000004
【図３】
2016054426.tif 000005
【図４】
2016054426.tif 000006
【図５】
2016054426.tif 000007